(57)【要約】【課題】  信頼性の高い表示出力を行う電子機器を提供する。【解決手段】  発光表示して複数桁の数値を表現する表示手段４と、通信手段２０からの信号に基づいて表示手段４に表示させる表示内容を生成し、表示手段４を駆動するマイクロコンピュータ２と、を備え、マイクロコンピュータ２は、前記信号に基づいて生成される新たな表示内容と、前回に生成され表示手段４に表示中の表示内容と、を比較処理（ステップＳ２）し、この比較結果に応じて前記新たな表示内容の一部桁の数値４ａの表示輝度と、他の桁の数値４ｂの表示輝度とが異なるように表示手段４を駆動する。【選択図】図２
2017207634.tif 000002
【特許請求の範囲】
【請求項１】
発光表示して複数桁の数値を表現する表示手段と、
通信手段からの信号に基づいて前記表示手段に表示させる表示内容を生成し、前記表示手段を駆動する制御手段と、を備え、
前記制御手段は、
前記信号に基づいて生成される新たな表示内容と、前回に生成され前記表示手段に表示中の表示内容と、を比較処理し、
この比較結果に応じて前記新たな表示内容の一部桁の数値の表示輝度と、他の桁の数値の表示輝度とが異なるように前記表示手段を駆動することを特徴とする電子機器。
【請求項２】
前記表示手段は、７セグメント発光ダイオードが適用されることを特徴とする請求項１に記載の電子機器。
【請求項３】
前記制御手段は、間引かれて表示される桁を前記一部桁とし、この一部桁のセグメントを他の桁の数値の表示輝度よりもすべて減光して点灯させることを特徴とする請求項２に記載の電子機器。
【発明の詳細な説明】
【技術分野】
【０００１】
本発明は、表示器を備えた電子機器に関する。
【背景技術】
【０００２】
従来の電子機器において、例えば、特許文献１に記載したように、７セグメント発光ダイオードなどの表示器を用いて、検出値や時間などの計測値などを数値等で表示する表示器を用いたものがある。
【先行技術文献】
【特許文献】
【０００３】
【特許文献１】特開平３−７０４９３号公報
【発明の概要】
【発明が解決しようとする課題】
【０００４】
また、特許文献１に開示される電子機器にあっては、通信速度や検出速度が遅くなるなどした場合、本来、１ずつ順に変化する値が、表現できない場合がある。
【０００５】
例えば、経過時間を表現する際に、「１５０」、「１５１」、「１５２」...と表示変化する必要があるが、上述場合には、「１５０」からしばらくして「１５９」などのように、間の表示が間引かれて表現される。従って、この間は、正確な数値を表現するものではない。
【０００６】
しかしながら、表示を確認する利用者にとって、通常の表示がなされているのか、それとも間引き表示がなされているのか判断し難いという問題があった。
【０００７】
そこで本願発明の目的は、上述問題に着目し、利用者が表示状態を判別できるようにすることで、信頼性の高い表示出力を行う電子機器を提供することにある。
【課題を解決するための手段】
【０００８】
本発明の電子機器は、
発光表示して複数桁の数値を表現する表示手段と、
通信手段からの信号に基づいて前記表示手段に表示させる表示内容を生成し、前記表示手段を駆動する制御手段と、を備え、
前記制御手段は、
前記信号に基づいて生成される新たな表示内容と、前回に生成され前記表示手段に表示中の表示内容と、を比較処理し、
この比較結果に応じて前記新たな表示内容の一部桁の数値の表示輝度と、他の桁の数値の表示輝度とが異なるように前記表示手段を駆動することを特徴とする。
【０００９】
また、前記表示手段は、７セグメント発光ダイオードが適用されることを特徴とする。
【００１０】
また、前記制御手段は、間引かれて表示される桁を前記一部桁とし、この一部桁のセグメントを他の桁の数値の表示輝度よりもすべて減光して点灯させることを特徴とする。
【発明の効果】
【００１１】
本発明は、電子機器に関し、信頼性の高い計時処理を行う電子機器となる。
【図面の簡単な説明】
【００１２】
【図１】本発明の実施形態による電子機器の正面を示す図。
【図２】同上実施形態における回路構成を示す図。
【図３】同上実施形態における制御部の処理手順を示すフロー図。
【図４】同上実施形態における表示遷移例を示す図。
【発明を実施するための形態】
【００１３】
以下、本発明の電子機器についての実施形態として、作業機械の操作パネル機器に適用したものを例に挙げて説明する。
【００１４】
図１及び図２に示すように、操作パネル機器（電子機器）Ａは、操作スイッチ（操作手段）１と、マイクロコンピュータ２と、バックアップ電源３と、表示手段４と、を備えており、これら部品を筐体５内に収納される回路基板に実装している。また、この場合、操作パネル機器Ａは、本体である作業機械Ｂに取り付けられることで、コネクタ６を用いて外部接続し、作業機械Ｂからの各種信号や電源供給を受けることができる。
【００１５】
操作スイッチ１は、表示手段４とともに筐体５の表面側（正面側）に設けられ、ユーザの指先操作による押圧を検出するスイッチを適用できる。操作スイッチ１は、複数用意され、各操作スイッチ１の押圧によって、筐体５内の回路基板に実装される接点（タクトスイッチ）の接続状態を切り替えることで、操作信号としてマイクロコンピュータ２へ出力できる。
【００１６】
マイクロコンピュータ２は、操作スイッチ１からの操作信号や作業機械Ｂからの各種信号に応じて演算処理を行い、例えば、作業機械Ｂの各種設定、稼働状態の記録や管理、または表示手段４の制御などできる。マイクロコンピュータ２は、コネクタ６を介して外部（作業機械Ｂ）と接続する通信手段２０と、制御部２１と、メモリ２２と、図示しない入出力インターフェースとを設ける。また、前記回路基板に実装されるバックアップ電源３や振動発振器７に接続するリアルタイムクロック２３を設けている。
【００１７】
通信手段２０は、通信ポートと、操作パネル機器Ａと作業機械Ｂとを双方向で多重通信するための通信処理部とを備えている。この場合、操作パネル機器Ａの操作スイッチ１による操作信号や各種設定値、コマンドの返答、作業機械Ｂの各種検出値や状態信号、駆動時間などの情報をやり取りできる。
【００１８】
制御部２１は、ＣＰＵ（演算処理ユニット）を適用でき、予めメモリ２２に格納されたプログラムデータに基づいて作動する。制御部２１は、リアルタイムクロック２３とバス接続し信号をやり取りすることもできる。この場合、制御部２１は、コネクタ６を介して作業機械Ｂから電力供給を受けており、これを電源として駆動できる。従って、作業機械Ｂが停止状態の際には、制御部２１の稼働も停止される。
【００１９】
メモリ２２は、ＲＯＭやＲＡＭ等の記憶媒体からなり、前述のプログラムデータや各種設定値、演算値などを格納するもので、制御部２１とともに、作業機械Ｂからの給電によって作動する。
【００２０】
リアルタイムクロック２３は、振動発振器７からの電気信号に基づいて、計時処理を行う回路であって、計時用のカウンタや、設定データを格納するレジスタ（記憶部）２３ａを設けている。計時用のカウンタは、振動発振器７からの所定周波数の電気信号に基づいて、年月時分秒を各進数（１０進数、１２進数、６０進数）に対応しながらカウントし、計時処理するもので、バックアップ電源３からの電力供給に基づいて作動する。従って、リアルタイムクロック２３は、例えば、制御部２１が停止している際も計時処理を続けることができる。
【００２１】
バックアップ電源３は、例えば、リチウムイオン電池などのコイン型電池を適用でき、電力容量が満足する限りリアルタイムクロック２３を定常的に作動させるための電源として設けられる。また、この場合、バックアップ電源３は、筐体５の裏面側（表示面または操作面と反対側）に形成される図示しない電池蓋を外すことで、着脱可能に保持されつつ、電気的な接続がされている。なお、バックアップ電源３として、前記回路基板に実装されるコンデンサ回路などを適用し、作業機械Ｂからの電力を蓄えて使用する構成も考えられる。
【００２２】
表示手段４は、制御部２１に基づいて作動する７セグメント発光ダイオードを適用できる。制御部２１は、各セグメントを点灯／消灯するための駆動信号を生成し、表示手段４に出力することによって、所望の数値を表現できる。また、制御部２１は、この駆動信号の点灯／消灯のデューティー比を調整するパルス幅変調制御を用いた表示輝度の調整を行う。表示手段４は、操作スイッチ１や作業機械Ｂからの情報に基づく機械の状態や設定状態、時刻や管理情報、メンテナンス情報などを表示できる。
【００２３】
これらの構成によって、作業機械Ｂに組み付けられるとともに、各種情報を表示したり設定したりできるインターフェースとなる操作パネル機器Ａとなる。
【００２４】
次に、図３，４を用いて本発明に係る制御部２１の処理手順について説明する。この場合、作業機械Ｂによって検出されたモータ回転数を通信手段２０を介して操作パネル機器Ａへ送信し、操作パネル機器Ａの表示手段４に該モータ回転数を数値表示するものについて説明する。なお、モータ回転数は、通常、変化に応じて１０進数で繰り上がりながら１ずつ順に増加または減少した際の検出値が送信される。
【００２５】
制御部２１は、コネクタ６や通信手段２０を介して操作パネル機器Ａに入力される通信信号を受信データとして入力し、メモリ２２に格納する（ステップＳ１）。
次に制御部２１は、メモリ２２に格納されていた前回の受信データ（以下、前回データとする）と、今回新たに受信した受信データとを比較処理する（ステップＳ２）。この場合、新たな受信データが前回データよりも「２以上大きい」または、「２以下小さい」という条件を満たすか否かを判定する比較処理を行う。
【００２６】
制御部２１は、この比較処理にて、前記条件を満たす場合、この判定が２回以上続けてなされたか否かを判定する（ステップＳ３）。制御部２１は、ステップＳ２，Ｓ３の処理にて、各条件を満たさない場合には、通常状態として、受信データに基づく数値表示が通常輝度でなされるように駆動信号を生成して、表示手段４へ出力する（ステップＳ４）。
【００２７】
また、制御部２１は、ステップＳ３の判定に基づき、複数回続けて前記条件を満たしている場合には、通常状態ではなく、何らかの原因で入力した通信信号が間引かれているとして、この間引かれた桁を特定し、この桁についてＰＷＭ制御にて通常よりも減光して表示する減光処理を行う。また、制御部２１は、該間引かれた桁について、一端、数値を示す７セグメント全部を上記減光した状態で点灯させる全点灯処理を行ってから、新たな受信データに基づく数値を上記減光した状態で点灯表示する（ステップＳ５）。例えば、図４に示すように、前回の表示状態である図４（ａ）に示す「１５２」から、今回新たな受信データとなる図４（ｃ）に示す「１５９」を表示する際には、所定時間だけ、図４（ｂ）に示す「１５８」を表示させる。また、図４（ｂ），図４（ｃ）では、下一桁の数値４ａが間引かれている状態のため、他の桁の数値４ｂよりも減光した輝度にて表示出力する。
【００２８】
従って、制御部２１は、上述のように間引かれた桁を特定し、この桁のセグメントを、通常輝度である他の桁の数値の表示輝度よりも、すべて減光して点灯させることによって、通常の輝度で表示された桁部分と減光された桁部分を比較でき、利用者にとって減光状態（通常状態でないこと）を判別しやすくなるだけでなく、確からしい桁部分とそうでない桁部分とを判別できる。なお、間引かれた桁は、前回データと受信データとの差分、または各桁毎に変化の連続性を判定することにより特定できる。
【００２９】
また、上述した全点灯処理を行うことによって、表示手段４は、全点灯した状態（「８」状態）を残像としながら表示変化する出力になるため、滑らかに表示変化する印象を利用者に与えることができる。
【００３０】
制御部２１は、ステップＳ４、またはステップＳ５における表示出力処理を経てから、これに用いた受信データを前回データとして置き換えてメモリ２２に格納する（ステップＳ６）。
【００３１】
以上の処理を繰り返すことによって、制御部２１は、状態に応じた表示出力を行うように表示手段４を駆動制御できる。
【００３２】
斯かる操作パネル機器Ａにあっては、発光表示して複数桁の数値を表現する表示手段４と、通信手段２０からの信号に基づいて表示手段４に表示させる表示内容を生成し、表示手段４を駆動するマイクロコンピュータ２と、を備え、マイクロコンピュータ２は、前記信号に基づいて生成される新たな表示内容と、前回に生成され表示手段４に表示中の表示内容と、を比較処理（ステップＳ２）し、この比較結果に応じて前記新たな表示内容の一部桁の数値４ａの表示輝度と、他の桁の数値４ｂの表示輝度とが異なるように表示手段４を駆動する。
【００３３】
従って、表示手段４は、一定でない輝度で数値表現するため、利用者は通常表示でないことを判別できる。このため、信頼性の高い表示出力を行う操作パネル機器Ａとなる。
【００３４】
また、表示手段４に、７セグメント発光ダイオードが適用されることによって、表示輝度を桁毎に変えることが容易な構成で可能となる。
【００３５】
なお、本発明の電子機器の電池収納構造を上述した実施の形態の構成にて例に挙げて説明したが、本発明はこれに限定されるものではなく、他の構成においても、本発明の要旨を逸脱しない範囲において種々の改良、並びに表示の変更が可能なことは勿論である。
【産業上の利用可能性】
【００３６】
本発明は、電子機器に関し、特に時刻やスケジュール機能を有し、連続的な変化を数値表示する電子機器に好適である。
【符号の説明】
【００３７】
Ａ    操作パネル機器（電子機器）
Ｂ    作業機械（本体）
１    操作スイッチ（操作手段）
２    マイクロコンピュータ（制御手段）
２０  通信手段
２１  制御部
２２  メモリ
２３  リアルタイムクロック
２３ａ  レジスタ（記憶部）
３    バックアップ電源
４    表示手段
５    筐体
６    コネクタ
７    振動発振器
【図１】
2017207634.tif 000003
【図２】
2017207634.tif 000004
【図３】
2017207634.tif 000005
【図４】
2017207634.tif 000006